(57)【要約】【課題】  屋内や屋外などの一般照明用の光源として長寿命の冷陰極蛍光ランプを用い、このランプと点灯回路装置とを一体ユニット化したもので、長期に亘り交換が不要であるとともに新設や万一の交換などの場合でも作業が容易でメンテナンスにも手間を要しない発光ユニットおよびこの発光ユニットが装着された薄形化にも対応できる照明器具を提供することを目的とする。【解決手段】  冷陰極蛍光ランプ１Ａと、蛍光ランプ１Ａに高周波電圧を印加する点灯回路装置２と、蛍光ランプ１Ａからの光を透過する透光性部材を少なくとも一部に有し、蛍光ランプ１Ａおよび点灯回路装置２を一体的に収容した外囲器３と、外囲器３に設けられ上記点灯回路装置２に電気的に接続された受電部４Ａとを備えている発光ユニットＵ１およびこの発光ユニットＵ１が装着された照明器具Ｌ１である。【選択図】  図１
2005317381.tif 000002
【特許請求の範囲】
【請求項１】
冷陰極蛍光ランプと；
蛍光ランプに高周波電圧を印加する点灯回路装置と；
蛍光ランプからの光を透過する透光性部材を少なくとも一部に有し、蛍光ランプおよび点灯回路装置を一体的に収容した外囲器と；
外囲器に設けられ上記点灯回路装置に電気的に接続された受電部と；
を備えていることを特徴とする発光ユニット。
【請求項２】
上記外囲器内に収容された蛍光ランプおよび点灯回路装置が交換不能であることを特徴とする請求項１記載の発光ユニット。
【請求項３】
上記冷陰極蛍光ランプは、ランプ電圧が４００Ｖ以上であることを特徴とする請求項１記載の発光ユニット。
【請求項４】
器具本体と；
器具本体に取着されるとともにこの器具本体の受電部と電気的接続された請求項１ないし３のいずれか一記載の発光ユニットと；
を具備していることを特徴とする照明器具。
【発明の詳細な説明】
【技術分野】
【０００１】
本発明は、冷陰極蛍光ランプを発光源として用いた一般照明用に好適する発光ユニットおよび照明器具に関する。
【背景技術】
【０００２】
一般照明用の光源としてランプ効率、寿命や温度上昇などの点に優れているところから蛍光ランプが多用されている。
【０００３】
この蛍光ランプとしては、通常ガラス管バルブの外径が約２９ｍｍ程度のものが広く普及しているが、近時、光出力の改良やランプ点灯回路の改善などにより、外径を約１６〜１７ｍｍの細径化したバルブを用いた蛍光ランプが開発されている。（たとえば特許文献１参照）
そして、この蛍光ランプを用いた照明器具の厚さは、バルブの外径が約２９ｍｍ程度の場合には最も薄くて約７０ｍｍ程度、外径が約１６〜１７ｍｍ程度の場合には約６０ｍｍ程度であった。
【０００４】
天井面や壁面などに取り付けられる照明器具は、その厚さ（高さ）が大きいとスペースを多く要したり、天井面と人頭との間隔が接近して人に圧迫感を生じるなどの不具合があった。
【０００５】
そこで、この対応としてガラス管バルブの外径が１０ｍｍ以下の細径の冷陰極蛍光ランプを光源として用いた照明器具が、器具の薄形化が可能で圧迫感を大幅に和らげられることから開発がすすめられ、たとえば特許文献２や特許文献３に開示されている。
【０００６】
すなわち、特許文献２によればキッチン用の照明器具としてその厚さ（高さ）が４５ｍｍ以下（好ましくは３０ｍｍ以下）の薄形化がはかれることが、また、特許文献３にはトイレ用として薄形化、省メンテナンスや眩しさを低減した照明器具が記載されている。
【特許文献１】特許第３０５５７６９号公報
【特許文献２】特開２００１−１４９０４号公報
【特許文献３】特開２００３−２９７１４１号公報
【発明の開示】
【発明が解決しようとする課題】
【０００７】
この冷陰極蛍光ランプは電極が冷陰極であることとガラス管径が細いバルブであるため、上記照明器具に限らず液晶などのバックライト、ＯＡ機器や表示などの光源として用いられているが、通常の蛍光ランプの点灯電圧が最高３００Ｖ程度であるのに対して４００Ｖ以上数ｋＶに達するものもあり、また、点灯方式としては４０ｋＨｚ以上の高い周波数で点灯される。
【０００８】
そして、冷陰極蛍光ランプは高電圧と高い周波数で点灯されるため、漏れ電流の影響が現れランプが一様な明るさとならず明るさの分布に偏りを生じたり、器具の点検保守などの際、点灯回路の給電部や出力部などで作業者に感電事故の虞れなどの危険があり、このため照明器具の設計に際しランプや点灯回路部品の配置など高圧配線部分の絶縁距離などを十分考慮する必要があった。特に複数本のランプを近接した状態で点灯する場合には、ランプ相互の干渉による、ランプ毎の発光強度のばらつきが生じることに起因して、照明器具の輝度むらやランプ効率低下の現象が顕著であった。
【０００９】
従来のランプの点灯電圧が３００Ｖ以下の器具であれば、給電部のみが完全に覆われていれば感電の危険はないが、４００Ｖ以上となると漏れ電流の影響が無視できない。
【００１０】
上記特許文献２や特許文献３に開示されている照明器具では、壁面などへの取り付けの際やランプの交換時には、本体の前面側に取着された透光性のカバーを外し作業が行われるが、万一、点灯電圧が印加されていると本体内の配線や点灯回路部品などに触れた場合に感電する虞があった。
【００１１】
また、この点灯電圧が印加されているとき、カバーを外すことに連動して点灯回路装置への給電が停止される安全装置を備えた器具も知られているが、このような装置を付加することによって器具が大形複雑化したりコストアップを招くなどの問題があり好ましくなかった。
【００１２】
さらに、蛍光ランプを用いた照明器具では、適材適所に合うとともに多彩なバリエーションによる商品のラインアップの要求が強かった。
【００１３】
本発明は、屋内や屋外などの一般照明用の光源として長寿命の冷陰極蛍光ランプを用い、このランプと点灯回路装置とを一体ユニット化したもので、長期に亘り交換が不要であるとともに新設や交換などの場合でも作業が容易でメンテナンスにも手間を要しなく、また、バリエーションにも富んだ発光ユニットおよびこの発光ユニットが装着された薄形化にも対応できる照明器具を提供することを目的とする。
【課題を解決するための手段】
【００１４】
本発明の請求項１に記載の発光ユニットは、冷陰極蛍光ランプと、蛍光ランプに高周波電圧を印加する点灯回路装置と、蛍光ランプからの光を透過する透光性部材を少なくとも一部に有し、蛍光ランプおよび点灯回路装置を一体的に収容した外囲器と、外囲器に設けられ上記点灯回路装置に電気的に接続された受電部とを備えていることを特徴としている。
【００１５】
本発明は放電ランプのうちで最も長寿命で、しかもガラス管バルブ径が細くて小形軽量化がはかれる冷陰極蛍光ランプを光源として選び、このランプとランプを点灯させる高電圧、高周波を発生するインバータからなる点灯回路装置とを、少なくともランプの周囲は透光性部材からなる（点灯回路装置は外観上不透光性部材）外囲器内に収容して一体化して発光ユニットを形成したもので、外囲器は通風孔などが形成してあっても差し支えないが開閉不能な構造をしている。
【００１６】
なお、上記外囲器が透光性部材を少なくとも一部にとあるのは、外囲器は全体が透光性部材で形成されていても（この場合は点灯回路装置部は別途不透光性カバー部材で覆うなど審美性を損なわないものとするのが望ましい。）、透光性のランプ収容部と不透光性の点灯回路装置収容部とが材料を変え一体形成されていても、また、別体形成されたランプ収容部と点灯回路装置収容部とを接合などして一体としたものであってもよいが、少なくともランプ収容部の大部分の周囲は透光性であることを要する。
【００１７】
この発光ユニットは、ランプが寿命を迎えた後などは発光ユニットごと交換して内部のランプ単体での交換を行わない新しい発想に基づいたものである。
【００１８】
すなわち、冷陰極蛍光ランプは、一般の蛍光ランプに比べ数倍の寿命があり、ランプの交換回（本）数および交換作業の手間などを勘案するとコストアップになるものではない。
【００１９】
また、この発光ユニットは外囲器および収容する冷陰極蛍光ランプの形状を選ぶことによりバリエーションに富む商品を生み出すことができる。
【００２０】
また、この冷陰極蛍光ランプはインバータを用いた高電圧、高周波による点灯回路装置に接続されているため、ランプ交換時などに点灯電圧が印加されていると本体内の配線や点灯回路部品などに触れた場合に感電する危険があるが、本発明のように外囲器を開閉不能としておくことによって、点灯回路部品に触れることがなく安全性を向上できる。
【００２１】
なお、この外囲器の開閉不能とは、通常の手段では容易に開閉ができないことを指し、締結部を特別な工具を用いれば開閉できるとか、外囲器を破壊することにより内部が触れられるなどの手段は含まないことをいう。
【００２２】
本発明の請求項２に記載の発光ユニットは、上記外囲器内に収容された蛍光ランプおよび点灯回路装置が交換不能であることを特徴としている。
【００２３】
冷陰極蛍光ランプおよび点灯回路装置を収容した外囲器を容易に開放することができずランプや点灯回路装置の交換が行えない発光ユニットである。
【００２４】
本発明の請求項３に記載の発光ユニットは、上記冷陰極蛍光ランプのランプ電圧が４００Ｖ以上であることを特徴としている。
【００２５】
ランプ電圧が４００Ｖ以上の高圧で２０〜５００ｋＨｚ（通常４０〜１００ｋＨｚ）の高い周波数で点灯される冷陰極蛍光ランプおよび点灯回路装置に適用して、上記請求項１または２に記載と同様な作用を奏する。
【００２６】
本発明の請求項４に記載の照明器具は、器具本体と、器具本体に取着されるとともに器具本体の受電部と電気的接続された請求項１ないし３のいずれか一記載の発光ユニットとを具備していることを特徴としている。
【００２７】
上記請求項１ないし３に記載の作用を奏する冷陰極蛍光ランプおよび点灯回路装置を備えた発光ユニットであり、照明器具の取り扱いの安全性の向上がはかれるとともに器具の小形軽量化がはかれる。
【発明の効果】
【００２８】
請求項１に記載の発明によれば、ランプの交換が必要になったときには、発光ユニットごと新しい発光ユニットと交換するので、交換時に高電圧部に触れるなどのことがなく安全性を高めることができる。
【００２９】
また、この発光ユニットに設けられた冷陰極蛍光ランプは低電力で温度上昇が低いとともに従来の蛍光ランプに比べて数倍の長寿命であり、ランプの交換回（本）数や交換作業などを勘案すれば総コストを低減できる。
【００３０】
また、この発光ユニットは外囲器および収容する冷陰極蛍光ランプの形状を選ぶことによりバリエーションに富む商品を適材適所に提供できる。
【００３１】
また、この発光ユニットは内部の蛍光ランプが細く軽量であるとともにその厚さを２０ｍｍ程度まで薄くできるので、天井面などに取り付けした場合には圧迫感の低減がはかれるなど種々の利点を有する発光ユニットを提供できる。
【００３２】
請求項２に記載の発明によれば、冷陰極蛍光ランプおよび点灯回路装置を収容した外囲器を容易に開放することができずランプや点灯回路装置の交換が行えない安全性を高めた発光ユニットを提供できる。
【００３３】
請求項３に記載の発明によれば、ランプ電圧が４００Ｖ以上の高圧で高周波点灯される冷陰極蛍光ランプおよび点灯回路装置に適用して、上記請求項１または２に記載の効果を奏する。
【００３４】
請求項４に記載の発明によれば、上記請求項１ないし３に記載の効果を奏する冷陰極蛍光ランプおよび点灯回路装置を備えているので、安全性の向上がはかれるとともに発光部分の交換も容易な照明器具を提供できる。
【発明を実施するための最良の形態】
【００３５】
本発明の発光ユニットの第１の実施の形態を図１（ａ）〜（ｄ）および図２を参照して説明する。図１はたとえば定格ランプ電力が異なる各２本のＵ字形の冷陰極蛍光ランプを備えた平板状の発光ユニットを示し（ａ）図は正面図、（ｂ）図は側面図、（ｃ）図は上面図、（ｄ）図は底（下）面図、図２は冷陰極蛍光ランプの要部（ガラス管バルブの端部近傍）を拡大して示す縦断面図である。なお、図は模式的に示す概念図であり、寸法関係は実際と対比していない。
【００３６】
図中１Ａ，１Ｂは定格ランプ電力および外形寸法が異なる複数本ここでは４本の冷陰極蛍光ランプで、いずれのランプ１Ａ，１Ｂもソーダライムガラス管からなるバルブ１１を略Ｕ字形に曲成して、図２に示すように両端を閉塞して形成した封着部１２を気密貫通したリード線１３に円筒状や円柱状をなす冷陰極１４が設けられている。
【００３７】
また、上記バルブ１１の内面側には３波長発光形の蛍光体を塗布形成した蛍光体膜１５が形成してあるとともにバルブ１１内には所定量の水銀および所定圧のキセノンＸｅ，ネオンＮｅ、アルゴンＡｒなどの希ガスが封入されている。
【００３８】
因みに、上記冷陰極蛍光ランプ１Ａは、定格のランプ電圧が約２０００Ｖ、ランプ電流が約５ｍＡ、寿命が約５０，０００時間で、バルブ１１は管外径が約３．０ｍｍ、管内径が約２．４ｍｍ、全長が約１０００ｍｍであり、また、上記冷陰極蛍光ランプ１Ｂは、定格のランプ電圧が約１８２０Ｖ、ランプ電流が約５ｍＡ、寿命が約５０，０００時間で、バルブ１１は管外径が約３．０ｍｍ、管内径が約２．４ｍｍ、全長が約９００ｍｍの仕様で製作されている。
【００３９】
２は高周波高電圧を発生する点灯回路装置で、トランジスタ、インダクタ、トランスおよびコンデンサなどの部品で構成したインバータからなり、その出力端は上記冷陰極蛍光ランプ１Ａ，１Ｂのリード線１３，…と接続されている。
【００４０】
３は冷陰極蛍光ランプ１Ａ，１Ｂおよび点灯回路装置２を収容した長方形状の箱型の外周器で、少なくとも冷陰極ランプ１Ａ，１Ｂが配設される蛍光ランプ室３ａ部分の点灯回路装置２側を除く５面はアクリルなどの合成樹脂板やガラス板などの透光性材料で形成され、点灯回路装置２が配設される点灯回路装置室３ｂ部分はポリブチレンテレフタレート（ＰＢＴ）などの不透光性材料で形成されている。
【００４１】
たとえばこの平板状の外周器３は、縦約５５０ｍｍ、（ランプ室３ａ部分の縦約４７０ｍｍ）、幅約５５０ｍｍ、厚さ約４０ｍｍである。
【００４２】
この外周器３内に収容された冷陰極蛍光ランプ１Ａ，１Ｂは対称的に交差して配設され、その端部が合成樹脂などの電気絶縁性材料で形成した支持部材（図示しない。）により点灯回路装置２とともに保持され外周器３内において移動しないよう固定されている。なお、長尺のバルブ１１の場合は、中間部において透明な合成樹脂材料などで形成したサポート部材（図示しない。）によって補強保持がはかられている。
【００４３】
また、外周器３は全体を一体として形成されていても、ランプ室３ａ部分と点灯回路装置室３ｂ部分とを別体として形成して後、ねじ止めや鋲止めあるいは接着や溶着などの手段で一体的に合体したものであってもよく、この外周器３は蛍光ランプ１Ａ，１Ｂおよび点灯回路装置２を収容した後、容易に解体できないよう閉塞されている。
【００４４】
４Ａは受電部で、上記点灯回路装置２と接続され外周器３の底面側から外部に導出した給電線の先端に接続した差込みプラグなどで形成している。
【００４５】
そして、本発明は上記冷陰極蛍光ランプ１Ａ，１Ｂ、点灯回路装置２およびこれらを収容した外周器３ならびに受電部４Ａでもって発光ユニットＵ１を構成している。
【００４６】
この発光ユニットＵ１は、受電部４Ａである差込みプラグを壁面に設けたソケットに差込み電源と接続するとともに冷陰極蛍光ランプ１Ａ，１Ｂが天井面と平行になるよう天井面に取着する。この接続により点灯回路装置２を介し冷陰極蛍光ランプ１Ａ，１Ｂ両端の冷陰極１４，１４間に高電界（高周波）が加えられると低圧の水銀蒸気中でグロー放電が生起し、この放電により励起された水銀が紫外線を発生し、その紫外線が蛍光体を励起して所定波長の光をバルブ１１面から発し、平板状の外囲器３の室部分３ａの点灯回路装置２側および天井面側を除く４面の透光面から光放射をすることができ、そのままでも照明器具Ｌ１として用いることができる。
【００４７】
また、この発光ユニットＵ１は内部の蛍光ランプ１Ａ，１Ｂのバルブ１１径が細く軽量であるとともに厚さが約４０ｍｍと薄いので、天井面などに取着した場合には圧迫感を低減することができるとともにランプの近傍には導体が存在しないので漏れ電流による損失がなく高効率の発光が行われる。
【００４８】
また、この発光ユニットＵ１は冷陰極蛍光ランプ１Ａ，１Ｂが天井面と直交する吊り下げられる方向で取り付けられるようにしてもよく、点灯回路装置２を収容した点灯回路装置室３ｂ側部分を上方として吊り下げればランプ室３ａ部分の５面の透光面から光放射をすることができる。
【００４９】
この発光ユニットＵ１に設けられた冷陰極蛍光ランプ１Ａ，１Ｂはいずれも低電力で温度上昇が低いとともに長寿命である。そして、ランプ１Ａまたは１Ｂが寿命で不点となったときや定格寿命に達したときには、従来のようにランプ１Ａ，１Ｂの交換をせずに発光ユニットＵ１を新しい発光ユニットＵ１と交換する。
【００５０】
すなわち、この発光ユニットＵ１はランプ１Ａ，１Ｂ交換のために、従来のカバー部などに相当する外囲器３の構成の一部を開放せず、点灯中に高電圧がかかる点灯回路の出力部などに触れることがなくなるので安全性を高めることができる。また、蛍光ランプ１Ａ，１Ｂは、点灯回路装置２とホルダなどを介し一体化することが可能で、ランプ１Ａ，１Ｂには口金やホルダーが不要で部品点数を減らしコスト低減がはかれる。
【００５１】
因みに、定格寿命が３０，０００時間の冷陰極蛍光ランプを用いた発光ユニットの場合、１日８時間の点灯を行った場合は約１０年間の点灯が可能で、照明器具の寿命が１０年ということから、約１０年間はランプ交換の必要がなく、１０年経過したら新しい発光ユニットに変えればよいメンテナンスを容易化した発光ユニット（照明器具）を提供できる。
【００５２】
図３は本発明の発光ユニットの第２の実施の形態を示し、図（ａ）は正面図、図（ｂ）は側面図で、図中、図１と同一部分には同一の符号を付してその説明は省略する。この発光ユニットＵ２は、外囲器３の厚さが薄い略正方形状で内部には１本のＷ形の冷陰極蛍光ランプ１Ｃが収容されている。
【００５３】
この発光ユニットＵ２は、点灯回路装置２を収容した室部分３ｂ側の側面に天井面などに設けられた引掛けシーリングと係止するシーリングキャップからなる受電部４Ｂが設けられていて、天井面や壁面に設けられている引掛けシーリングに直付けすることができ照明器具Ｌ２としてもよい。また、外周器３は、ランプ１Ｃなどを収容した後、ねじ止めや鋲止めあるいは接着や溶着などの手段で容易に解体できないよう閉塞されている。
【００５４】
また、この発光ユニットＵ２は図４および図５に示すように複数個たとえば４個を略田字形をなすよう配設した照明器具Ｌ３として点灯される。この図４は発光ユニットＵ２、…の装着作業途中の照明器具Ｌ３の下面図、図５は完成後の側面図である。
【００５５】
図において５Ａは正方形状や円形状をなすここでは長方形状の器具本体で天井７面に取付けられている。この器具本体５Ａには、商用電源に接続した４個の引掛けシーリング６，６，…が対称位置に設けられていて、この４個の引掛けシーリング６，６，…に上記発光ユニットＵ２，…のシーリングキャップからなる受電部４Ｂを差込み回動することによって保持と電気的接続がなされる取り付けを行うことができる。
【００５６】
この照明器具Ｌ３は、商用電源に接続した４個の引掛けシーリング６，６，…を介し各発光ユニットＵ２，…に給電され、各冷陰極蛍光ランプ１Ｃが点灯することによって発光ユニットＵ２，…から光放射される。
【００５７】
そして、この照明器具Ｌ３も、発光ユニットＵ２に設けられた冷陰極蛍光ランプ１Ｃが寿命で不点となったときや定格寿命に達したときには、発光ユニットＵ２を外し新しい発光ユニットＵ２を装着することによって交換ができる。
【００５８】
すなわち、この発光ユニットＵ２も上記実施の形態と同様に発光ユニットＵ２の交換でよいので、交換作業が容易で高圧部分に触れることがなく電気的にも安全であるとともに細径のガラス管バルブ１１からなる蛍光ランプ１Ｃを用いているので器具Ｌ３の薄形、軽量化がはかれるなどの効果を奏する。
【００５９】
なお、この照明器具Ｌ３において、隣接する発光ユニットＵ２，…は各々が回動に要する間隔を隔て配設され、図４中、右下の一点鎖線で示す発光ユニットＵ２は引掛けシーリング６にシーリングキャップが合わされた状態で、この発光ユニットＵ２を矢印時計方向に回動することによって係止と電気的な接続が行われる。また、器具本体５Ａに設ける引掛けシーリング６，…の個数、位置、間隔や向きなどにより上記発光ユニットＵ２の取り付け数や方向を規制できる。
【００６０】
また、上記図４や５に示す照明器具Ｌ３など器具本体５Ａを介し発光ユニットＵ２を取り付けるものにおいては、器具本体５Ａ内においては、一次的昇圧手段を、発光ユニット内にインバータからなる点灯回路装置を設けるようにすれば、点灯回路装置の小形軽量化がはかれ、発光ユニットをさらに薄形軽量化をすることができる。
【００６１】
図６は本発明の発光ユニットの第３の実施の形態を示し、図（ａ）は正面図、図（ｂ）は側面図で、図中、図１〜図５と同一部分には同一の符号を付してその説明は省略する。
【００６２】
この発光ユニットＵ３は、外囲器３が正面から見て台形をなすとともに背面が正面より縮小して投影された同形をなし側面が傾斜した厚さの薄い平板状をしていて、内部には１本のＵ字形の冷陰極蛍光ランプ１Ｄおよび点灯回路装置２が収容され、外囲器３はこれらを収容した後、ねじ止めや鋲止めあるいは接着や溶着などの手段で容易に解体できないよう閉塞されている。
【００６３】
そして、この発光ユニットＵ３は、外囲器３の裏面側などに設けた受電部（図示しない。）をコンセントなどと接続して点灯させることができる。また、図７は、上記発光ユニットＵ３を複数個集積した照明器具Ｌ４の斜視図で、図に示すようにこの発光ユニットＵ３の外囲器３側面の傾斜面を利用して湾曲状に並べたり角錐状に積み上げたりすることにより装飾用やディスプレー用として利用することができる。
【００６４】
図８および図９は本発明の発光ユニットの第４および第５の実施の形態を示す。図８は第４の実施の形態を示す縦断面図、図９は第５の実施の形態を示し、（ａ）図は正面図、（ｂ）図は底面図で、図中、図１〜図７と同一部分には同一の符号を付してその説明は省略する。
【００６５】
図に示す発光ユニットＵ４は、点灯回路装置２が設けられた金属板製の長さが約１００ｃｍ、幅が約１０ｃｍ、高さが約２０ｍｍの点灯回路装置収容室３ｂが天井７面にねじ７１，７１により取り付けられ、この点灯回路装置収容室３ｂの一端側に蝶番８１を介し接続された上記点灯回路装置収容室３ｂの開口部を覆う大きさで高さが約１０ｍｍのアクリル製の散光性のセードからなるランプ収容室３ａに全長が約９０ｃｍ、管径が約２．６ｍｍでランプ電流が約８ｍＡ、ランプ電力が約１０Ｗの直管形の冷陰極蛍光ランプ１Ｅが３本平行配設され、点灯回路装置２と蛍光ランプ１Ｅとは配線を介し電気的接続がなされている。
【００６６】
そして、この発光ユニットＵ４は、ランプ収容室３ａ側を矢印方向に押し上げ点灯回路装置収容室３ｂと合致した部分を接着剤で接合したり図示のようにねじ８２を締めることによって一体化する。なお、このねじ８２は、たとえばねじ頭が略Ｙ字状をしていて汎用（−や＋）のドライバーなどの工具では取り扱えない、すなわち特殊な工具でしか締緩できない解体が不可能の構造としてある。
【００６７】
この発光ユニットＵ４は、天井７裏から引き込んだ電源線から点灯回路装置２に給電して両電極間に約１．３ｋＶの電圧が印加されて冷陰極蛍光ランプ１Ｅ，…を点灯させることができ照明器具Ｌ５ともすることができる。
【００６８】
そして、この発光ユニットＵ４（照明器具Ｌ５）は、冷陰極蛍光ランプ１Ｅが寿命を迎えたら、天井７面のねじ７１，７１を外し新しい発光ユニットＵ４（照明器具Ｌ５）と交換すればよく、交換作業者などが発光ユニットＵ４（照明器具Ｌ５）のランプ収容室３ａを開けることができず、感電などの危険を回避できる。
【００６９】
図９は本発明の発光ユニットの第５の実施の形態を示し、（ａ）図は正面図、（ｂ）図は底面図で、図中、図１〜図８と同一部分には同一の符号を付してその説明は省略する。
【００７０】
この発光ユニットＵ５は、外囲器３の横断面が正方形などの多角形や円形をなし、ここでは長四角形状で内部には２本のＵ字形の冷陰極蛍光ランプ１Ａ，１Ｂが直交して配設されているとともにランプ１Ａ，１Ｂの上方側の空間の点灯回路装置２を覆って不透明色の隔壁３５が設けられ、点灯回路装置２が外から見えないようになっている。
【００７１】
また、外囲器３の上方側面にはシーリングキャップからなる受電部４Ｂが設けてあり、外周器３は、ランプ１Ａ，１Ｂなどを収容した後、ねじ止めや鋲止めあるいは接着や溶着などの手段で容易に解体できないよう閉塞されている。
【００７２】
そして、この発光ユニットＵ５は、上述した第２の実施の形態と同様に単体で天井面や壁面に設けられている引掛けシーリングに直付けすることができるほか図４および図５に示すようなたとえば器具本体５Ａに設けられた複数の引掛けシーリング６，６，…にシーリングキャップからなる受電部４Ｂを差込むことによって保持と電気的接続がなされる取り付けを行うことができる。
【００７３】
なお、この発光ユニットＵ５の場合、冷陰極蛍光ランプ１Ａ，１Ｂが垂直に配設されているので器具の薄形化は望めないが、バルブ１１が細径化しているとともに温度上昇も従来のランプに比べて低いので小形化が可能であり、また、冷陰極蛍光ランプ１Ａや１Ｂが寿命で不点となったときや定格寿命に達したときには、発光ユニットＵ５を外し新しい発光ユニットＵ５を装着することによって容易に、かつ、安全に交換ができる上記実施の形態と同様の照明器具Ｌ６とすることができる。
【００７４】
なお、本発明は上記実施の形態に限定されるものではない。たとえば上記冷陰極蛍光ランプのバルブを形成するガラス管の材料は、ソーダライムガラスや鉛ガラスなどの軟質ガラス、ホウケイ酸ガラス、アルミノシリケートガラスや石英ガラスなどの硬質ガラスを用いることができる。また、管外径は特に限定されないが１０ｍｍ以下のものに適用できる。
【００７５】
蛍光ランプを形成するバルブの形状は、直管形、円環形、Ｕ字形、Ｃ字形やＷ字形などの屈曲形あるいはこれらの複合形であって、端部の封着部はフレアステム、ボタンステムやビードステムなどを用いバルブを縮径や圧潰することにより閉塞して形成されている。
【００７６】
また、放電用の電極をなす冷陰極は、ニッケルＮｉ、鉄Ｆｅ・ニッケルＮｉごうきん、アルミニウムＡｌ・ジルコニウムＺｒ合金、タングステンＷ、モリブデンＭｏなどを主成分とする材料からなり、その形状は板体を平板状や円筒状などの筒状に加工あるいは塊を円柱状や棒状などに加工したものからなり、必要に応じその表面にエミッタ物質（熱電子放射性物質）が塗布されている。
【００７７】
また、バルブ内に封入される放電媒体としての水銀の形態は、液状水銀、アマルガム（合金）や板状体に水銀合金を形成したＧＥＭＥＤＩＳ（商品名）などが使用できる。
【００７８】
また、希ガスとしては、キセノンＸｅ、ネオンＮｅ、アルゴンＡｒやクリプトンＫｒなどが単独または混合して、ランプ特性に合わせ、混合比や封入圧を適宜決め封入されている。
【００７９】
また、バルブの表面に形成される蛍光体は、既知の各種のものが使用でき、たとえば３波長発光形の希土類蛍光体やハロリン酸塩蛍光体など、ランプの特性やグレードに応じて任意の蛍光体を選び用いることができる。
【００８０】
また、点灯回路装置は、トランジスタ、インダクタ、トランスおよびコンデンサなどの部品で構成されるインバータからなるが、１本の蛍光ランプに適応したものに限らず、１台のインバータで複数本の蛍光ランプを点灯できるようにしたものであってもよく、この場合は点灯回路装置を小形化できる。
【００８１】
また、冷陰極蛍光ランプおよび点灯回路装置を収容する外囲器は、少なくとも蛍光ランプが対応する部分が透光性のアクリルなどの合成樹脂あるいは軟質や硬質のガラスなどの絶縁性材料で製作されている。
【００８２】
また、外囲器は冷陰極蛍光ランプ収容室および点灯回路装置収容室は同一材料で一体形成されていても、ランプ収容室と点灯回路装置収容室とを別材料で形成した後、一体化されたものであってもよい。また、外囲器は気密性の必要はないがランプおよび点灯回路装置を収容した後は、ねじ止めや鋲止めあるいは接着や溶着など容易に開放できない構造となっていることを要する。
【００８３】
また、上記透光性の外囲器とは、内部の蛍光ランプからの光が損失少なく透過できるもので透明であっても部分的や全体的に拡散や着色などされているものであっても差し支えない。また、点灯回路装置を収容する部分は透明であってもよいが、透明であると雑然と見えるなどの場合は審美性を高めるため不透明材料を用いて形成してもよく、また、この点灯回路装置収容室はランプ収容室内に放熱手段などを考慮して別体のカバー部材などで形成されていてもよい。
【００８４】
また、外囲器内に収容される冷陰極蛍光ランプの本数は１本でも複数本でもよいが、複数本の場合はランプが交差や重合すると外囲器の厚さが厚くなって薄形化が困難になる場合がある。
【００８５】
また、外囲器および収容する冷陰極蛍光ランプの形状を選ぶことによりバリエーションに富む発光ユニットや照明器具を適材適所に提供できる。
【００８６】
さら、本発明の発光ユニットおよび照明器具は図に示すものに限らず、収容する蛍光ランプの種類、形状や本数あるいは用途などに応じその形状、形態や構造などを提供できる。
【００８７】
また、外囲器の外部に設けられる受電部は。差込みプラグ、シーリングキャップに限らず、係止および電気的接続がなされるライティングレールなどであっても差し支えない。
【００８８】
また、器具としてはランプが同一平面状に配設されている場合は、最小２０ｍｍ程度まで薄く小形軽量化がはかれるとともに長寿命化したランプが用いられるので、住宅や事務所などの屋内外の天井直付形、吊下形または壁面取付形などあるいはランプ交換に多くの手間や危険を伴う高所取付けの器具などに好適する。さらに、器具本体に反射体を設けるなどのことは構わない。
【図面の簡単な説明】
【００８９】
【図１】本発明の発光ユニットの第１の実施の形態を示し、（ａ）図は正面図、（ｂ）図は側面図、（ｃ）図は上面図、（ｄ）図は底面図である。
【図２】冷陰極蛍光ランプの要部（ガラスバルブの端部近傍）を拡大して示す縦断面図である。
【図３】本発明の発光ユニットの第２の実施の形態を示す正面図である。
【図４】本発明の実施の形態を示す照明器具の下面図である。
【図５】図４に示す照明器具の側面図である。
【図６】本発明の発光ユニットの第３の実施の形態を示し、（ａ）図は正面図、（ｂ）図は側面図である。
【図７】図６に示す発光ユニットを複数個集積した照明器具の斜視図である。
【図８】本発明の実施の形態を示す照明器具の縦断面図である。
【図９】本発明の発光ユニットの第４の実施の形態を示し、（ａ）図は正面図、（ｂ）図は底面図である。
【符号の説明】
【００９０】
Ｕ１〜Ｕ５：発光ユニット、    Ｌ１〜Ｌ４：照明器具、    １Ａ〜１Ｄ：冷陰極蛍光ランプ、    ２：点灯回路装置、    ３：外囲器、    ４Ａ，４Ｂ：受電部、    ５Ａ，５Ｂ：器具本体、
【図１】
2005317381.tif 000003
【図２】
2005317381.tif 000004
【図３】
2005317381.tif 000005
【図４】
2005317381.tif 000006
【図５】
2005317381.tif 000007
【図６】
2005317381.tif 000008
【図７】
2005317381.tif 000009
【図８】
2005317381.tif 000010
【図９】
2005317381.tif 000011